(57)【要約】【課題】断熱材を、例えば既存建物の外壁の壁内空間部に施工容易に設置することができる方法を提供する。【解決手段】室内１０側の壁面６ａの天井近傍高さ位置に壁内空間部３と連通する横方向に延びるスリット状開口部１２を形成し、該開口部１２を通じて面状断熱材１３を壁内空間部３に送り込んで装填し、装填後、スリット状開口部１２を塞ぐ。断熱材１３は、厚さ方向に圧縮可能でかつ復元力を備えたグラスウールなどのマット状断熱材からなり、ローラー送り式の断熱材装填機１１の送りローラー１４，１４でマット状断熱材１３を厚さ方向に圧縮してスリット状開口部１２に通すとよい。断熱材装填後の壁面６ａの修復においては、回り縁１８をスリット状開口部１２の部分が背後に隠れるように取り付けるとよい。【選択図】      図１
2006070450.tif 000002
【特許請求の範囲】
【請求項１】
壁面に壁内空間部と連通するスリット状の開口部を形成した後、該スリット状開口部を通じて面状の断熱材を壁内空間部に送り込んで装填し、装填後、前記スリット状開口部を塞ぐことを特徴とする、壁内への断熱材の施工方法。
【請求項２】
前記断熱材が、厚さ方向に圧縮可能でかつ復元力を備えたマット状断熱材からなり、
ローラー送り式の断熱材装填機を用い、該装填機の送りローラーでマット状断熱材を厚さ方向に圧縮して前記スリット状開口部に通す請求項１に記載の、壁内への断熱材の施工方法。
【請求項３】
前記スリット状開口部を、壁面に横方向に延びるように形成し、
マット状断熱材を、壁内空間部の下方に向けて送り込んで装填していく請求項１又は２に記載の、壁内への断熱材の施工方法。
【請求項４】
前記壁面が室内の壁面からなり、スリット状開口部を天井近傍高さ位置に横方向に延びるように形成し、
壁内空間部に断熱材を装填した後、回り縁を、前記スリット状開口部の部分が背後に隠れるように取り付ける請求項１乃至３のいずれか一に記載の、壁内への断熱材の施工方法。
【発明の詳細な説明】
【技術分野】
【０００１】
本発明は、壁内への断熱材の施工方法に関する。
【背景技術】
【０００２】
例えば、既存建物の外壁の断熱性能を高めるための断熱材の施工方法として、室内側の内装壁面材を撤去して壁内空間部に断熱材を設置し、断熱材の設置後、室内側の壁面を修復するという方法がある。
【発明の開示】
【発明が解決しようとする課題】
【０００３】
しかしながら、内装壁面材の撤去とその修復を伴う施工方法では、工事が大掛かりなものになってしまい、断熱材の施工を容易に行えないという問題がある。
【０００４】
本発明は、例えば上記のような問題点に鑑み、断熱材を壁内空間部に施工容易に設置することができる方法を提供することを課題とする。
【課題を解決するための手段】
【０００５】
上記の課題は、壁面に壁内空間部と連通するスリット状の開口部を形成した後、該スリット状開口部を通じて面状の断熱材を壁内空間部に送り込んで装填し、装填後、前記スリット状開口部を塞ぐことを特徴とする、壁内への断熱材の施工方法によって解決される。
【０００６】
この方法では、断熱材を壁面に形成したスリット状開口部を通じて壁内空間部に装填するようにしているので、壁面材の撤去が不要で工事が大掛かりなものにならず、スリット状開口部の形成とその部分の修復を行うだけでよく、断熱材を壁内空間部に施工容易に設置することができる。
【０００７】
上記の方法において、断熱材が、厚さ方向に圧縮可能でかつ復元力を備えたマット状断熱材からなり、ローラー送り式の断熱材装填機を用い、該装填機の送りローラーでマット状断熱材を厚さ方向に圧縮して前記スリット状開口部に通すとよい。
【０００８】
この場合は、マット状断熱材を送りローラーで薄肉化してスリット状の開口部に通すようにしているので、壁面に形成するスリット状開口部のスリットの隙間寸法を小さくすることができて、壁面に対するスリット状開口部の形成や断熱材装填後の壁面の修復を容易にすることができ、それでいて、マット状断熱材は、復元力を備えているので、壁内空間部で復元して高い断熱性能を発揮することができる。
【０００９】
また、スリット状開口部を、壁面に横方向に延びるように形成し、マット状断熱材を、壁内空間部の下方に向けて送り込んで装填していくとよい。この場合は、マット状断熱材をその自重を利用して壁内空間部に適正かつスムーズに装填していくことができる。
【００１０】
更に、壁面が室内の壁面からなり、スリット状開口部を天井近傍高さ位置に横方向に延びるように形成し、壁内空間部に断熱材を装填した後、回り縁を、前記スリット状開口部の部分が背後に隠れるように取り付ける場合は、断熱材装填後の壁面の修復を回り縁を利用して容易にすることができる。
【発明の効果】
【００１１】
本発明は、以上のとおりのものであるから、断熱材を壁内空間部に施工容易に設置することができる。
【発明を実施するための最良の形態】
【００１２】
次に、本発明の実施最良形態を図面に基づいて説明する。
【００１３】
本実施形態では、図１（イ）に示すように、既存建物１の外壁２の壁内空間部３に断熱材を設置する場合のもので、４は外装面材、５は既存の断熱材、６は石膏ボード等の内装用壁面材、７，７は上下の下地桟であり、壁内空間部３は、内装用壁面材６と既存断熱材５との間に、天井８付近から床９付近まで連通するように備えられている。
【００１４】
壁内空間部３に設置する断熱材は、厚さ方向に圧縮可能でかつ復元力を有するマット状断熱材からなり、具体的には、例えばグラスウールなどからなる。
【００１５】
該マット状断熱材を壁内空間部３に設置するため、図１（ロ）に示すように、室内側から壁面６ａの天井８近傍の高さ位置に、横方向に延びるスリット状の開口部１２を形成する。
【００１６】
しかる後、図２及び図３に示すように、マット状断熱材装填機１１を室内側のスリット状開口部１２に面するように設置し、該装填機１１でマット状断熱材１３を室内１０側からスリット状開口部１２を通じて壁内空間部３に送り込んで装填していく。
【００１７】
装填機１１は、ローラー送り式のもので、図２（ロ）に示すように、対をなす上下のローラー１４，１４を備えており、これらローラー１４，１４間の間隔寸法は、マット状断熱材１３の厚さ寸法よりも小さく設定されていて、回転するローラー１４，１４間にマット状断熱材１３を通すことにより、マット状断熱材１３は、厚さ方向に圧縮され薄肉化されて、ローラー１４，１４との摩擦力によってローラー１４，１４の向こう側に送り出されてスリット状開口部１２に送り込まれるようになされている。
【００１８】
マット状断熱材１３が、例えば、グラスウールなどによるもので、公称厚さの１／１０の寸法まで圧縮可能であるような場合は、ローラー１４，１４間の間隔寸法もマット状断熱材１３をそのような寸法に圧縮できる間隔寸法に設定しておくとよい。なお、ローラー１４，１４の回転は、手動で行われるようになされていてもよいし、電動で行われるようになされていてもよい。
【００１９】
また、上記の装填機１１には、送りローラー１４，１４の出口側において、上下のガイド１５，１６が備えられ、該ガイド１５，１６を、図３（ロ）に示すように、スリット状開口部１２に差し込んだ状態にすることで、ローラー１４，１４間を通過したマット状断熱材１３をスリット状開口部１２にスムーズに送り込むことができるようになされている。また、上ガイド１５は、壁内空間部３内に突出して下向きに湾曲しており、スリット状開口部１２を通過したマット状断熱材１３が上ガイド１５の内面部に案内されて壁内空間部３の下方にスムーズに送り込まれていくようになされている。
【００２０】
こうして、装填機１１でマット状断熱材１３を壁内空間部３に装填した後、図４（イ）に示すように、スリット状開口部１２に、その開口部サイズにあった修復用のボード片１７を設置して開口部１２を塞ぎ、そして、図４（ロ）及び図５に示すように、回り縁１８を、スリット状開口部１２の部分が背後に隠れるように取り付ければ、壁面６ａはきれいに修復される。
【００２１】
このように、上記の施工方法によれば、断熱材１３を室内１０側の壁面６ａに形成したスリット状開口部１２を通じて壁内空間部３に送り込んで装填設置するようにしているので、内装用壁面材６の撤去が不要で工事が大掛かりなものにならず、スリット状開口部１２の形成とその修復を行うだけでよく、断熱材１３を壁内空間部３に施工容易に設置することができる。
【００２２】
しかも、断熱材１３は、厚さ方向に圧縮可能でかつ復元力を備えたマット状断熱材１３からなっていて、ローラー送り式の断熱材装填機１１を用い、該装填機１１の送りローラー１４，１４でマット状断熱材１３を厚さ方向に圧縮してスリット状開口部に通すようにしているので、壁面６ａに形成するスリット状開口部１２のスリットの隙間寸法を小さくすることができ、壁面６ａに対するスリット状開口部１２の形成や断熱材装填後の壁面６ａの修復を容易にすることができ、それでいて、マット状断熱材１３は、壁内空間部３で復元して高い断熱性能を発揮することができる。
【００２３】
また、スリット状開口部１２を、壁面６ａに横方向に延びるように形成し、マット状断熱材１３を、壁内空間部３の下方に向けて送り込んで装填していくようにしているので、マット状断熱材１３をその自重を利用して壁内空間部に適正かつスムーズに装填していくことができる。
【００２４】
更に、スリット状開口部１２は天井８の近傍高さ位置に横向きに形成されているので、断熱材装填後は、回り縁１８の取付けによって、その背後にスリット状開口部１２を隠すことができ、壁面６ａの修復を施工容易に行っていくことができる。
【００２５】
以上に、本発明の実施形態を示したが、本発明はこれに限られるものではなく、発明思想を逸脱しない範囲で各種の変更が可能である。例えば、スリット状開口部のスリットの高さ位置は、天井近傍高さ位置に限らず、種々の高さ位置であってよいし、スリットの向きも横に限らず、縦であってもよく、それに伴い、壁内空間部への断熱材の送込み方向も、上から下に限らず、下から上、左から右、右から左などであってもよい。更に、断熱材は、スリット状開口部を通じて壁内空間部に送り込むことのできる屈曲性を備えた面状の断熱材であればよく、厚さ方向に圧縮できるか否かは問わない。また、壁内空間部への断熱材の送り込みは、断熱材の種類にもよるが、断熱材を手作業でスリット状開口部を通じて壁内空間部に送り込んでいくようにしてもよい。また、上記の実施形態では、建物の外壁の断熱性能を向上する目的での施工を行った場合を示しているが、外壁に限らず、間仕切り壁など、各種壁に対して行われてもよい。また、断熱材の装填範囲についても、床から天井のわたる全体でなく、一部であってもよい。
【図面の簡単な説明】
【００２６】
【図１】実施形態を示すもので、図（イ）は断熱材の施工をする外壁の全体断面図、図（ロ）はスリット状開口部を形成した壁面部分を示す断面図である。
【図２】図（イ）はスリット状開口部に面して装填機を設置した状態を示す断面側面図、図（ロ）は装填機の拡大断面図である。
【図３】図（イ）は装填機で断熱材を装填している状態を示す断面図、図（ロ）はその要部拡大図である。
【図４】図（イ）及び図（ロ）は、断熱材装填後の壁面の修復方法を順次に示す断面図である。
【図５】図（イ）及び図（ロ）は修復後の状態を示す断面図である。
【符号の説明】
【００２７】
３…壁内空間部
６ａ…壁面
８…天井
１０…室内
１１…断熱材装填機
１２…スリット状開口部
１３…マット状断熱材（面状断熱材）
１４…送りローラー
１８…回り縁
【図１】
2006070450.tif 000003
【図２】
2006070450.tif 000004
【図３】
2006070450.tif 000005
【図４】
2006070450.tif 000006
【図５】
2006070450.tif 000007